【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
線路及び中性導体を有する配電システムにおいて地絡故障及び中性点接地の条件を検出するマイクロコントローラ・ベースのシステムであって、
前記配電システムの前記線路及び中性導体の両方における電流に応答して出力信号を生じる単一の変流器を含むセンサ回路と、
前記センサ出力信号を受け取り、前記配電システムにおける前記地絡故障又は前記中性点接地条件を検出するとトリップ信号の発生を開始するマイクロコントローラであって、前記センサ出力信号を用いて、離間した時間間隔の間に地絡故障条件を検出し、前記センサ出力信号を用いて、前記離間した時間間隔の間の介在時間間隔の間に中性点接地条件を検出するようにプログラムされているマイクロコントローラと、
前記トリップ信号に応答して前記配電システムにおける電流を遮断する回路遮断器と、
全波電源と半波電源との両方と共に動作して、前記離間した時間間隔と前記介在時間とを制御するタイミング機能と、前記回路遮断器が動作する前に電力が一時的に失われる場合に地絡故障又は中性点接地条件の検出に応答して回路トリップを再開するように設定されているメモリ機能とを提供する単一のアナログ・メモリ回路と、
を備えていることを特徴とするマイクロコントローラ・ベースのシステム。
【請求項２】
線路及び中性導体を有する配電システムにおいて地絡故障及び中性点接地の条件を検出するマイクロコントローラ・ベースのシステムであって、
前記配電システムの前記線路及び中性導体の両方における電流に応答して出力信号を生じる、温度と共に変動するインダクタンスを有する単一の変流器を含むセンサ回路と、
前記変流器の近傍に配置され、周囲温度条件と線形に変動する電圧を生じる周囲温度感知回路と、
不揮発性メモリに記憶された所定の地絡故障スレショルド値と所定の中性点接地スレショルド値とを有するプログラマブルなマイクロコントローラであって、
前記所定の地絡故障スレショルド値と前記周囲温度感知回路の出力とに基づいて修正された地絡故障スレショルド値を計算し、
前記所定の中性点接地スレショルド値と前記周囲温度感知回路の出力とに基づいて修正された中性点接地スレショルド値を計算し、
前記修正された地絡故障スレショルド値を用いて地絡故障条件を検出し、
前記修正された中性点接地スレショルド値を用いて中性点接地条件を検出し、
前記配電システムにおいて前記地絡故障又は中性点接地条件を検出すると、トリップ信号の発生を開始するようにプログラムされたマイクロコントローラと、
前記トリップ信号に応答して前記配電システムにおける電流を遮断する回路遮断器と、
を備えていることを特徴とするマイクロコントローラ・ベースのシステム。
【請求項３】
線路及び中性導体を有する配電システムにおいて地絡故障及び中性点接地の条件を検出するマイクロコントローラ・ベースのシステムであって、
温度と共に変動するインダクタンスを有する変流器と共振回路とを有し、出力信号を提供するセンサ回路と、
不揮発性メモリに記憶された所定の地絡故障スレショルド値と所定の中性点接地スレショルド値とを含むプログラマブルなマイクロコントローラであって、
中性点接地テストの間、前記センサ共振回路において共振振動を生じさせるピング信号を開始し、
前記共振振動の周波数を測定して前記変流器のインダクタンスの変化を決定し、
前記所定の地絡故障スレショルド値と前記変流器のインダクタンスの変化とに基づいて、修正された地絡故障スレショルド値を計算し、
前記中性点接地スレショルド値と前記変流器のインダクタンスの変化とに基づいて、修正された地絡故障スレショルド値を計算し、
前記修正された地絡故障スレショルド値を用いて地絡故障条件を検出し、
前記修正された中性点接地スレショルド値を用いて中性点接地条件を検出し、
前記配電システムにおいて前記地絡故障又は中性点接地条件を検出すると、トリップ信号の発生を開始するようにプログラムされたマイクロコントローラと、
前記トリップ信号に応答して前記配電システムにおける電流を遮断する回路遮断器と、
を備えていることを特徴とするマイクロコントローラ・ベースのシステム。
【請求項４】
線路及び中性導体を有する配電システムにおいて地絡故障及び中性点接地の条件を検出する方法であって、
前記配電システムの前記線路及び中性導体の両方における電流に応答して、単一の変流器を用いて信号を生じるステップと、
前記信号を用いて前記配電システムにおいて地絡故障又は中性点接地の条件を検出するようにプログラムされたマイクロコントローラに前記信号を供給し、前記地絡故障又は中性点接地の条件を検出するとトリップ信号の発生を開始するステップと、
前記トリップ信号に応答して前記配電システムにおける電流を遮断するステップと、
単一のアナログ・メモリを用いて、地絡故障又は中性点接地の条件をテストする間隔を制御するタイミング機能と、前記配電システムにおける前記電流が遮断される前に電力が一時的に失われる場合に地絡故障又は中性点接地の条件の検出に応答して設定されるメモリ機能とを提供するステップと、
を含むことを特徴とする方法。
【請求項５】
線路及び中性導体を有する配電システムにおいて地絡故障及び中性点接地の条件を検出する方法であって、
前記配電システムの前記線路及び中性導体の両方における電流に応答して、温度と共に非線形的にセンサを用いて信号を生じるステップと、
前記センサの周囲温度の読取値を生じるステップと、
前記信号を、所定の地絡故障スレショルド値と所定の中性点接地スレショルド値とを有するマイクロコントローラに供給するステップであって、前記マイクロコントローラは、
前記周囲温度読取値を用い、前記所定の地絡故障スレショルド値に基づいて、修正された地絡故障スレショルド値を計算し、
前記周囲温度読取値を用い、前記所定の中性点接地スレショルド値に基づいて、修正された中性点接地スレショルド値を計算し、
前記信号を用い、前記修正された地絡故障スレショルド値に基づいて、地絡故障条件を検出し、
前記信号を用い、前記修正された中性点接地スレショルド値に基づいて、中性点接地条件を検出し、
地絡故障又は中性点接地条件を検出すると、トリップ信号の発生を開始し、
前記トリップ信号に応答して前記配電システムにおける電流を遮断する、
ようにプログラムされている、ステップと、
を含むことを特徴とする方法。
【請求項６】
線路及び中性導体を有する配電システムにおいて地絡故障及び中性点接地の条件を検出する方法であって、
前記配電システムの前記線路及び中性導体の両方における電流に応答して、温度と共に変動するインダクタンスを有する変流器と共振回路とを含むセンサを用いて信号を生じるステップと、
前記信号を、所定の地絡故障スレショルド値と所定の中性点接地スレショルド値とを有するマイクロコントローラに供給するステップであって、前記マイクロコントローラは、
中性点接地テストの間、センサ出力信号において減衰振動を生じさせるピング信号を開始し、
前記減衰振動の周波数を測定して前記変流器のインダクタンスの変化を決定し、
前記所定の地絡故障スレショルド値と前記変流器のインダクタンスの変化とに基づいて、修正された地絡故障スレショルド値を計算し、
前記中性点接地スレショルド値と前記変流器のインダクタンスの変化とに基づいて、修正された地絡故障スレショルド値を計算し、
前記修正された地絡故障スレショルド値を用いて地絡故障条件を検出し、
前記修正された中性点接地スレショルド値を用いて中性点接地条件を検出し、
前記配電システムにおいて前記地絡故障又は中性点接地条件を検出すると、トリップ信号の発生を開始する、
ようにプログラムされている、ステップと、
を含むことを特徴とする方法。
【手続補正２】
【補正対象書類名】明細書
【補正対象項目名】００１１
【補正方法】変更
【補正の内容】
【００１１】
手動のテスト回路２２は、手動のプッシュ・ツー・テストスイッチＰＴＴと１対の抵抗Ｒ１１及びＲ１２とで構成される。スイッチＰＴＴが押下されると、ＧＦＣＩ回路１０が故障を検出しトリップ機能を用いて主な接点（図示せず）を開放するのに十分な電流が生じる。